【手続補正書】
【提出日】平成15年8月4日(2003.8.4)
【手続補正１】
【補正対象書類名】明細書
【補正対象項目名】特許請求の範囲
【補正方法】変更
【補正の内容】
【特許請求の範囲】
【請求項１】
音声認識データベースに音声認識モデルを登録する方法であって、
異質な音声を解釈するペナルティ付加型不要要素モデルを備え、
登録するため音声認識する新しい発声をユーザから受信し、
登録のために受信した前記発声のテンプレートを生成し、
登録される発声を再度繰り返すことをユーザに要求し、
２回目に受信した発声を受信し、
２回目の発声を、生成したテンプレートおよびペナルティ付加型不要要素モデルと比較して一致しているか否か判断し、
語彙内音声に関して一致している場合、前記新しいテンプレートを短縮ダイヤルリストに追加する、
ことを含むことを特徴とする方法。
【請求項２】
請求項１記載の方法であって、前記比較ステップは、前記２回目の発声を前記ペナルティ付加型不要要素モデルと比較し、登録されたテンプレートと比べて、語彙外音声に関して前記ペナルティ付加型不要要素モデルと所定の範囲内で一致する前記２回目の発声中の発声のすべてを拒否するステップを含むことを特徴とする方法。
【請求項３】
請求項１記載の方法であって、前記比較が失敗して一致しない場合、テンプレートと前記２回目に受信した発声を交換して、前記比較するステップを繰り返し実行するステップを含むことを特徴とする方法。
【請求項４】
請求項３記載の方法であって、前記交換するステップが比較結果を得るのに失敗した場合、３回目の発声を要求して受信し、第３の応答と２回目の発声が比較されそして一致している場合、２回目の発声のテンプレートをデータベースに登録するステップを含むことを特徴とする方法。
【請求項５】
請求項３記載の方法であって、後に続く発声を要求し、交換が前の発声の比較結果を得るのに失敗した後、前の発声と後に続く応答が比較されそして一致している場合、後に続く発声のテンプレートをデータベースに入れるステップを含むことを特徴とする方法。
【請求項６】
電話システムに短縮ダイヤル名を登録する方法であって、
異質な音声を解釈するペナルティ付加型不要要素モデルを備え、
登録するための新しい短縮ダイヤル名の発声をユーザから受信し、
登録のために受信した前記短縮ダイヤル名の発声のテンプレートを生成し、
登録される新しい短縮ダイヤル名の発声を再度繰り返すことをユーザに要求し、
受信した新しい短縮ダイヤル名の２回目の発声を受信し、
新しい短縮ダイヤル名の２回目の発声を、生成したテンプレートおよびペナルティ付加型不要要素モデルと比較して一致しているか否か判断し、
一致している場合、前記新しい短縮ダイヤル名のテンプレートを短縮ダイヤルリストに追加する、
ことを含むことを特徴とする方法。
【請求項７】
請求項６記載の方法であって、前記新しい短縮ダイヤル名のテンプレートに関連する電話番号を要求しかつ追加するステップを含むことを特徴とする方法。
【請求項８】
請求項７記載の方法であって、比較が一致に失敗した場合、テンプレートと前記受信した短縮ダイヤル名の２回目の発声とを交換し、前記比較するステップを繰り返し実行するステップを含むことを特徴とする方法。
【請求項９】
請求項８記載の方法であって、新しい短縮ダイヤル名の３回目の発声を要求して受信し、前記交換するステップが比較結果を得るのに失敗した後第３の応答と２回目の発声が比較されそして一致している場合、２回目の発声を短縮ダイヤルリストに入力するステップを含むことを特徴とする方法。
【請求項１０】
請求項８記載の方法であって、後に続く新しい短縮ダイヤル名の発声を要求して受信し、交換が前の発声に関する比較結果を得るのに失敗した後、後に続く応答と前の発声が比較されそして一致している場合、後に続く発声のテンプレートをデータベースに入力するステップを含むことを特徴とする方法。
【請求項１１】
請求項１０記載の方法であって、後に続く新しい短縮ダイヤル名の発声を要求して受信し、前記交換するステップが前の発声に関する比較結果を得るのに失敗した後、後に続く応答と前の発声が比較されそして一致している場合、後に続く発声のテンプレートをデータベースに入力するステップを含むことを特徴とする方法。
【請求項１２】
請求項６記載の方法であって、前記比較ステップは、前記２回目の発声と前記ペナルティ付加型不要要素モデルを比較して、所定の範囲内で前記ペナルティ付加型不要要素モデルと一致する前記２回目の発声中の発声をすべて拒否するステップを含むことを特徴とする方法。
【請求項１３】
請求項１２記載の方法であって、比較に失敗して一致しない場合、テンプレートと前記受信した短縮ダイヤル名の２回目の発声を交換し、前記比較するステップを繰り返し実行するステップを含むことを特徴とする方法。
【請求項１４】
請求項１３記載の方法であって、新しい短縮ダイヤル名の３回目の発声を要求して受信し、前記交換するステップが比較結果を得るのに失敗した後第３の応答と２回目の発声が比較されそして一致している場合、２回目の発声を短縮ダイヤルリストに入力するステップを含むことを特徴とする方法。
【請求項１５】
電話システムに短縮ダイヤル名を登録する方法であって、
短縮ダイヤル名と関連する電話番号との話者依存型テンプレートを用意し、
異質な音声を解釈するペナルティ付加型不要要素モデルを用意し、
登録される名前が、前に用意された話者依存型テンプレートか前記ペナルティ付加型不要要素モデルかのいずれかと一致しているか否か判断し、前に用意された話者依存型テンプレートと一致する場合は登録を拒否し、
登録される発声が最小しきい値長さより短いか否か判断し、
発声が前記最小しきい値長さより短い場合、該発声のテンプレートを短縮ダイヤルリストに追加する前に、ユーザの承認が得られるか否か判断する、
ことを含むことを特徴とする方法。
【請求項１６】
電話システムに短縮ダイヤル名を登録する方法であって、
短縮ダイヤル名と、関連する電話番号との話者依存型テンプレートを用意し、
認識不能な音声のためにペナルティ付加型不要要素モデルを用意し、
登録するための短縮ダイヤル名の発声をユーザから受信し、
登録のために受信した前記短縮ダイヤル名の発声のテンプレートを生成し、
登録される名前が、用意された話者依存型テンプレートによく似ているか否か判断し、よく似ている場合は登録を拒否し、不要要素モデルと一致する場合は登録を許し、
登録される発声が、最小しきい値長さより短いか否か判断し、登録される発声が、前記最小しきい値長さより短い場合、その発声を短縮ダイヤルリストに登録する前にユーザが承認するか否か判断し、
登録される新しい短縮ダイヤル名の発声を再度繰り返すことをユーザに要求し、
受信した新しい短縮ダイヤル名の２回目の発声を受信し、
新しい短縮ダイヤル名の２回目の発声を、生成したテンプレートおよびペナルティ付加型不要要素モデルと比較して一致しているか否か判断し、
一致している場合、前記新しい短縮ダイヤル名のテンプレートを短縮ダイヤルリストに追加する、
ことを含むことを特徴とする方法。
【請求項１７】
請求項１６記載の方法であって、前記新しい短縮ダイヤル名のテンプレートに関連する電話番号を要求しかつ追加するステップを含むことを特徴とする方法。
【請求項１８】
請求項１７記載の方法であって、比較に失敗して一致しない場合、テンプレートと前記受信した短縮ダイヤル名の２回目の発声を交換し、前記比較するステップを繰り返し実行するステップを含むことを特徴とする方法。
【請求項１９】
請求項１８記載の方法であって、新しい短縮ダイヤル名の３回目の発声を要求して受信し、前記交換するステップが比較結果を得るのに失敗した後第３の応答と２回目の発声が比較されそして一致している場合、２回目の発声を短縮ダイヤルリストに入力するステップを含むことを特徴とする方法。
【請求項２０】
請求項１６記載の方法であって、前記比較ステップは、前記２回目の発声と前記ペナルティ付加型不要要素モデルを比較して、所定の範囲内で前記ペナルティ付加型不要要素モデルと一致する前記２回目の発声中の発声をすべて拒否するステップを含むことを特徴とする方法。
【請求項２１】
短縮ダイヤル名を登録する電話装置であって、
短縮ダイヤル名と、関連する電話番号との話者依存型テンプレートを格納するメモリと、
認識不能な音声のためのペナルティ付加型不要要素モデルを格納するメモリと、
登録される名前と前記格納された話者依存型テンプレートあるいは前記ペナルティ付加型不要要素モデルを比較して、よく似ている場合は登録を拒否する比較器と、
登録される発声が最小しきい値長さより短いか否か、あるいは発声が前記最小しきい値長さより短い否か判断し、発声のテンプレートを短縮ダイヤルリストに追加する前に、ユーザが承認するか否か判断する手段と、
を含むことを特徴とする電話装置。
【請求項２２】
短縮ダイヤル名を登録する電話装置であって、
認識不能な音声のためのペナルティ付加型不要要素モデルを格納する記憶装置と、
登録するための短縮ダイヤル名の発声をユーザから受信する受信器と、
前記受信器と結合し、登録するために受信した前記短縮ダイヤル名の発声のテンプレートを発声させる発生器と、
登録される新しい短縮ダイヤル名の発声を再度繰り返すことをユーザに要求する手段と、
受信した新しい短縮ダイヤル名の２回目の発声を受信することに応答して、前記受信した新しい短縮ダイヤル名の２回目の発声と、発生させたテンプレートおよびペナルティ付加型不要要素モデルを比較して、一致しているか否か判断する前記受信器と、
一致している場合、前記新しい短縮ダイヤル名のテンプレートを短縮ダイヤルリストに追加する手段と、
を含むことを特徴とする電話装置。
【請求項２３】
請求項２２記載の電話装置であって、前記新しい短縮ダイヤル名のテンプレートに関連する電話番号を要求しかつ追加する手段を含むことを特徴とする電話装置。
【請求項２４】
請求項２２記載の電話装置であって、前記受信器は、比較に失敗して一致しない場合、テンプレートと前記受信した短縮ダイヤル名の２回目の発声とを交換しかつ再度比較する手段を含むことを特徴とする電話装置。
【請求項２５】
請求項２４記載の電話装置であって、新しい短縮ダイヤル名の３回目の発声を要求して受信し、前記交換するステップが比較結果を得るのに失敗した後第３の応答と２回目の発声が比較されそして一致している場合、２回目の発声を短縮ダイヤルリストに入力する手段を含むことを特徴とする電話装置。
【請求項２６】
請求項２２記載の電話装置であって、前記受信器は、前記２回目の発声と前記ペナルティ付加型不要要素モデルを比較して、所定の範囲内で前記ペナルティ付加型不要要素モデルと一致する前記２回目の発声中の発声をすべて拒否する手段を含むことを特徴とする電話装置。
【請求項２７】
請求項２６記載の電話装置であって、前記受信器は、比較に失敗して一致しない場合、前記テンプレートと前記２回目の受信した短縮ダイヤル名の発声を交換しかつ再度比較するステップを繰り返し実行する手段を含むことを特徴とする電話装置。
【請求項２８】
請求項２７記載の電話装置であって、前記受信器は、新しい短縮ダイヤル名の３回目の発声を要求して受信し、前記交換するステップが比較結果を得るのに失敗した後３回目の発声と２回目の発声が比較されそして一致している場合、短縮ダイヤルリストに２回目の発声を入力する手段を含むことを特徴とする電話装置。
【請求項２９】
音声認識データベースに音声テンプレートを登録する装置であって、
認識不能な音声のためのペナルティ付加型不要要素モデルを格納する記憶装置と、
前記データベースに登録するための新しい音声アドレスの発声をユーザから受信する受信器と、
前記受信器と結合し、登録するために受信した前記新しい音声アドレスの発声のテンプレートを発生させる発生器と、
登録される新しい音声アドレスの発声を再度繰り返すことをユーザに要求する手段と、
前記受信した新しい音声アドレスの２回目の発声を受信することに応答して、前記新しい短縮ダイヤル名の２回目の発声と、発生させたテンプレートおよびペナルティ付加型不要要素モデルを比較して、一致しているか否か判断する前記受信器と、
一致している場合、前記新しいテンプレートを前記データベースに追加する手段と、
を含むことを特徴とする電話装置。
【請求項３０】
請求項２９記載の電話装置であって、前記受信器は、比較に失敗して一致しない場合、テンプレートと前記２回目に受信した発声とを交換しかつ再度比較する手段を含むことを特徴とする電話装置。
【請求項３１】
請求項３０記載の電話装置であって、３回目の発声を要求して受信し、前記交換するステップが比較結果を得るのに失敗した後第３の応答と２回目の発声が比較されそして一致している場合、２回目の発声をデータベースに入力する手段を含むことを特徴とする電話装置。
【請求項３２】
請求項２９記載の電話装置であって、前記受信器は、前記２回目の発声と前記ペナルティ付加型不要要素モデルを比較して、所定の範囲内で前記ペナルティ付加型不要要素モデルと一致する前記２回目の発声中の発声をすべて拒否する手段を含むことを特徴とする電話装置。